(57)【要約】      （修正有）【課題】単純な構造で、安価で、操作性に優れていて、聞香を愉しむことができる携帯可能な香炉を提供する。【解決手段】電池を使用可能な電源と、香剤載置部と、電源からの電力供給により発熱し、香剤載置部に載置された香剤を加熱する発熱体とを備える。香剤載置部の底部には、熱伝導特性に優れ、発熱体が通電中か否かを目視可能な雲母からなる薄板を備える。【選択図】図１
0003174143.tif 000002
【実用新案登録請求の範囲】
【請求項１】
香剤を載置可能とした香剤載置部と、電圧が１．５ボルトから１２ボルトの範囲内にある電池を使用可能とした電源と、前記電源から電力が供給されることで発熱して前記香剤載置部に載置された香剤を加熱可能な発熱体と、を備え、
前記香剤載置部の底部には、熱伝導特性に優れた薄板が備えられており、
前記熱伝導特性に優れた薄板は、前記熱伝導特性に優れた薄板を通して前記発熱体が通電中であるか否かを目視可能であるように構成された雲母であることを特徴とする携帯型香炉。
【請求項２】
前記香剤載置部の底部と前記発熱体との距離を調節可能な距離調節機構を備えていることを特徴とする請求項１に記載の携帯型香炉。
【請求項３】
前記香剤載置部の底部の周囲の長さが、前記香剤載置部の上部の周囲の長さより短いことを特徴とする請求項１又は請求項２に記載の携帯型香炉。
【請求項４】
前記香剤載置部の形状がすり鉢状又は多角形状であることを特徴とする請求項１〜３のいずれか１項に記載の携帯型香炉。
【請求項５】
聞香に使用可能であることを特徴とする請求項１〜４のいずれか１項に記載の携帯型香炉。
【考案の詳細な説明】
【技術分野】
【０００１】
本考案は、香炉に関するものであり、更に詳しくは、香剤を載せる香剤載置部及び電池を電源とした発熱体による発熱によって香剤を加熱することができる部分を備えている携帯型香炉に係るものである。従って、本考案は、香に関するものの中、取り分け聞香のための最適な香炉に関するものである。
【背景技術】
【０００２】
従来から、香りの愉しみ方には、香剤から自然に発散する香気成分を空間に漂わせる、例えば、におい袋に類するもの、香剤に火を着けその熱によって香剤の香気成分を煙りとともに漂わせる、例えば、線香やインセンスに類するもの、発熱物の上に香剤を着火することがない状態にして載置し、熱によって香剤の香気成分が蒸散するのをまって、聞くという聞香がある。これらの中、聞香と呼ばれる方法は、香りの出ない聞香専用灰の中にたどんと称するものを埋め、炭団の上が頂点となるよう、山状に灰を整え、その上に、熱伝導の良好な薄い板状物、銀葉と称するものを置き、その上に香剤を載せて加熱するとき、香剤に含まれている香気成分が蒸散し、幽かに漂ってくる香りを嗅ぐというものである。
【０００３】
聞香にあっては、使用している香剤の種目を言い当てることに興じることもあるが、独りで、漂う香りを心静かに愉しむことも亦多く行われているものである。
ところが、斯かる方法にあっては、香剤を加熱するための火元となるたどんを必要とし、加えて、それへの着火や着火されたたどんの火が消えることのないように維持するため又はその火力を香剤の種類や質に適した強さにするため、灰の掛け具合を調節するという煩わしい作業をしなければならない。斯かる作業を満足に行うには、永年に渡る修練、所謂お稽古により得た勘に頼らざるを得ず煩瑣なこととならざるを得ないのである。
【０００４】
このような煩瑣な作業の過程を愉しみ、香剤を焚くことへの心の準備、精神的安堵感を得る糧としている人たちがいることは、夙に知られているところであるが、伝統的な香道に携わる道家の人々はさておき、面倒な準備や手の込んだ所作などをすることなく気軽に、一服の、お気に入りの香りを嗅いでみたいという人達が多くいることもまた事実である。斯かる人達が、出かけた野山、喧噪な街の中、公園のベンチなどで手軽に、簡単にひと休みついでに、香りを愉しむことができることになれば、気忙しく、乾き切った現在社会において、幾許かの精神的潤いをもたらすものと思われるところである。
【０００５】
このような状況下にあって、香剤を焚くための、携帯を可能とする香炉が種々提供されている。
従来の香炉の一例として、特許文献１に記載の電子香炉では、電池を使用し、電気ヒーターへの通電により発熱を促し、生ずる熱でもって香木を焚くことができる香炉が提供されている。しかしながら、この技術にあっては、香りを特徴づける香気成分の蒸散する温度が香木によって異なることへの対処の仕方として、各種の香木を適切な温度に加熱するために採用している方法は、電子回路を使用するというものである。ここに採用されている電子回路によって、ヒーターへの通電の持続と切断の時間を調節して、香木に適した温度での加熱が可能となるように調節して、当該香木を加熱しようとするものであるが、複雑な電子回路を必要とするために香炉の価格が高価なものとならざるを得ず、普及は難しいものとならざるを得ない。
【０００６】
また、特許文献２に記載の香炉は、乾電池を電源として熱線に通電し、これにより赤くなった熱線に線香、粉香を接触させることにより線香、粉香に火をつけ、火がついたときには、通電をとめるというものがあるが、これは単なる着火のための道具を提供しているに過ぎず、言わばマッチ代りとも言えるものであるから、聞香の用には向かないものである。
【０００７】
さらに、特許文献３に記載の香炉では、電磁誘導による発熱でもって香剤を加熱している。このものは複雑な装置を必要とし、高価なものとなることは必至、また、家庭用電気を必要とするので携帯用には向かないものである。
【０００８】
また、特許文献４に記載の香炉のように、香剤の燃焼を行うことを目的とするものもあるが、このものは、聞香の用には向かず、また、ＡＣ電源入力を必要とするものであり携帯用には向かないものである。
【先行技術文献】
【特許文献】
【０００９】
【特許文献１】特開２０００−３００４２４号公報
【特許文献２】特開平９−２９４６７１号公報
【特許文献３】特開平８−５２０６１号公報
【特許文献４】特開平９−４２１号公報
【考案の概要】
【考案が解決しようとする課題】
【００１０】
このように、従来の香炉にあっては、複雑な装置の組み込みを必要とする結果、高価なものとなって、普及の障碍となるか、家庭用電気を必要とするものであるため携帯には向かないものであるか、マッチ代わりの着火道具に過ぎないものであるため、聞香の用には使用できないものであるのが実情である。
【００１１】
本考案は、初めての人にも、また、経験を積んだ人にも手軽に且つ場所を選ばず、簡単に焚き香り、殊に聞香を愉しむことができる安価にして、且つ使いやすい携帯型香炉を提供するものである。即ち、本考案は、特許文献１に記載されているような、加熱温度の調整のために不可欠となっている特別な回路を必要とすることもなく、極めて単純な構造であるから、安価にして、操作性においても優れている聞香に適した携帯可能な香炉を提供するものである。
【課題を解決するための手段】
【００１２】
本考案に係る携帯型香炉は、香剤を載置可能とした香剤載置部と、電圧が１．５ボルトから１２ボルトの範囲内にある電池を使用可能とした電源と、前記電源から電力が供給されることで発熱して前記香剤載置部に載置された香剤を加熱可能な発熱体と、を備え、前記香剤載置部の底部には、熱伝導特性に優れた薄板が備えられており、前記熱伝導特性に優れた薄板は、前記熱伝導特性に優れた薄板を通して前記発熱体が通電中であるか否かを目視可能であるように構成された雲母であることを特徴とする。
【００１３】
また、本考案に係る携帯型香炉は、前記香剤載置部の底部と前記発熱体との距離を調節可能な距離調節機構を備えていることが望ましい。
【００１４】
また、本考案に係る携帯型香炉は、前記香剤載置部の底部の周囲の長さが、前記香剤載置部の上部の周囲の長さより短いことが望ましい。
【００１５】
また、本考案に係る携帯型香炉は、前記香剤載置部の形状がすり鉢状又は多角形状であることが望ましい。
【００１６】
また、本考案に係る携帯型香炉は、聞香に使用可能であることが望ましい。
【００１７】
ここにおいて、香剤載置部は、その内側において、上部並びに下部が開口している円錐台形乃至は多角錐台形状を倒置した状態、例えていえば、上部が広く開いたラッパ状に形成され、下部は熱伝導の良好な薄板を貼付して香剤載置ができる底を形成する。ラッパ状に形成されることは必ずしも必要とするものではないが、上部が広く開いたラッパ状になっていることは、香剤の投入を容易にすることの利点が生ずる。
【００１８】
ラッパ状に形成されるための部材は、金属であっても、木質材であっても、プラスチックスであってもよく、特に制限されるものではないが、木質材やプラスチックスである場合には、美感や熱反射を考慮して内側に金属蒸着、例えばアルミニウムの蒸着をすることが好ましい。
【００１９】
香剤載置ができる底を形成するために使用される薄板としては、香剤以外の接する箇所に熱を伝えず、ヒーターの熱を直接香剤に伝えることができる薄さ、かつ通電中であるか否かをヒーター色から目視することができ、ヒーターの放射熱も香剤へ伝える事できるものが好ましいため、雲母が挙げられ、その厚さは０.０５から１ミリメーター（ｍｍ）、好ましくは０.０８から０.１２ミリメーター（ｍｍ）である。
【００２０】
本考案において、使用されるところの香剤は、伽羅、沈香、白檀などの香木それ自体を細かくした砕片のみならず、これら香木細粉を香気成分発散物として含有せしめた練香、線香、又はこれらの粉末であってもよく、加熱されるとき、熱により香気成分が気化し、香りを発散するものを総称したものであって、生のものであれ、加工されたものであれ、加熱時に香気成分が蒸発し、香りを感じさせるものであれば支障なく使用できる。
【００２１】
更に、この香剤載置部は、後に説明する電源部と発熱部とを含めて収納するケースとその取り付け部分において上下にスライドさせて、適宜のところで止めることができる構造となっており、これによって発熱体と香剤載置部の底部との距離を調整することができ、香剤を加熱する温度を香剤に適した温度に調節することができる。当該スライドは、香剤載置部の取り付け部分を上記ケース上部の内側で又は外側で行うことができるものであればよく、適宜のところで停めるための方法は、一方に設けられた螺旋状のオスネジまたはメスネジと他方に設けられたメスネジまたはオスネジを噛み合わせたねじ込みによるか、或いは、双方の適宜のところに幾つかの凹凸を設けて双方を嵌合することによってもこれを行うことができる。
【００２２】
次に、電池を電源とした通電による発熱により、香剤を加熱するための加熱部分について、説明する。
絶縁体中を通る２本の導電線を発熱体に介して結線し、その中の一方を陽極とし、他方を陰極として固着する。ここにおいて使用される発熱体としては、白金（プラチナ）、ニクロム、タングステンなど電気抵抗の高い金属を線状又は面状、或いは、コイル状に加工したもの、セラミックヒーターなどが挙げられ、好適には広く知られているニクロム線が挙げられる。本発熱体は、導電体を介して電源部分の導電体にそれぞれ接触結合される。接触結合の方法は、加熱部分の導電体と電源部分導電体に設けられた凹凸を逆にした螺旋状の溝を絡み合わせて行われる。例えていえば、丁度電球をソケットにねじ込む要領である。これによって、電源部分に組み込まれた電池からの通電によって、発熱体の発熱を促し、香剤を加熱することができる。発熱体による発熱温度は、使用する香剤の種類により適温は異なるが、１５０℃から３００℃であること、好ましくは１８０℃から２５０℃であることが望まれる。
【００２３】
次に、電源部分について記述する。電源としての電池は単一、単二、単三、単四いずれの乾電池であってもまた、充電型のものであっても好適に使用されるところ、電気容量を考慮して適宜選択が可能であり、並列に接続すれば容量の確保に資することができる。電圧は１．５ボルト〜１２ボルトであればよく、好適には３ボルトである。スイッチを設けて、電流の断続を行うことは通常行われているところに従い適宜に行うことができる。又、接続中を明示するためのシグナルを設けることは通常行われているところに従い支障なく行われるところである。
【考案の効果】
【００２４】
本考案によれば、香剤載置部と発熱体との距離を細かく調整することができ、香剤を特徴付ける香気成分が低い温度で蒸散する香剤であるときは、香剤載置部を発熱体から離すことにより、低い温度で香剤を特徴づける香気成分を蒸散させることができる。また、高い温度を必要とする香剤であるときは、香剤載置容器部分を発熱体に近付けることにより高い温度で加熱し、香剤を特徴づける香気成分を蒸散させることができる。本考案によれば、このような極めて簡単な操作で香剤をその最適温度にて焚き別けることができる聞香に適した携帯可能な香炉が提供されるのである。
更にまた、一つの香剤について、低い温度から高い温度に至るまで、温度の変化による香りの変化を聞き別けることも簡単な操作によって行うことができる。
【図面の簡単な説明】
【００２５】
【図１】本考案に係る携帯用香炉の全体図であり、右半分はその断面図である。
【図２】本考案に係る携帯用香炉の香剤載置容器部分の断面図である。
【図３】本考案に係る携帯用香炉の発熱部分の断面図である。
【図４】本考案に係る携帯用香炉の電源部分の断面図である。
【考案を実施するための形態】
【００２６】
以下に、図１を参照しながら、本考案を詳述するが、これによって本考案の本質が制限されるものではない。
図１は、本考案により提供される聞香に適した香炉の正面図であり、右半分は、その透視図を示す。図１に示すように、香炉１は、香剤載置部２と容器３とを備えており、香剤載置部２の取付け部４に設けられたネジ山５と、容器３の取付け部６に設けられたネジ山７とが噛み合う（螺合）可能となっている。香剤載置部２は、図２に示すように、上部８が開口しており、底部９と傾斜側面１０備えた、略擂鉢状の形状をしている。従って、香剤載置部２は、底部９の周囲の長さが、上部８の周囲の長さよりも短くなっており、香剤１１を容易に入れることが可能となっている。即ち、上部８から香剤１１を入れると、必ず底部９に載せることができるようになっている。
【００２７】
容器３の内部には、電源部１２と発熱部１３とが収容されている。電源部１２には、１．５ボルトの電池２本１４、１５が直列接続されており、この電源部１２から電力が発熱部１３に供給されることが可能となっている。発熱部１３は、図３に示すように、第１導電体１８と第２導電体１９とが設けられ、これらの間には、発熱抵抗体であるニクロム線が接続されている。また、第１導電体１８と第２導電体１９との間は、絶縁体２１により絶縁された状態となっている。更に、発熱部１３には、図４に示すように、第３導電体２２と第４導電体２３とが設けられ、第３導電体２２は電源部１２の陽極側と接続され、第４導電体２３は電源部１２の陰極側と接続されている。また、第３導電体２２と第４導電体２３は、絶縁体２４により絶縁された状態となっている。
【００２８】
図３、４をみてわかるように、第１導電体１８の外側にはネジ山２５が設けられ、第４導電体２３の内側にもネジ山２６が設けられ、これらのネジ山２５、２６が噛み合うことで第１導電体１８と第４導電体２３とが接触固定することができる。また、これらの噛み合いにより、第２導電体１９と第３導電体２２とが接触することができる。
【００２９】
次に、発熱について説明する。電源部１２のスイッチ２７をオンする（回路を閉じる）と、陰極側は、第４導電体２３、第１導電体１８を経て、ニクロム線２０に回路が形成され、陽極側は第３導電体２２、第２導電体１９を経てニクロム線２０に回路が形成される。従って、ニクロム線２０が発熱抵抗により、加熱されていくこととなる。このニクロム線２０は、香剤載置部２の底部９の直下にあり（図１参照）、ニクロム線２０により、底部９が加熱される。従って、底部に配置した香剤が加熱されて、その特徴的香気成分を蒸散し、香りとして漂いしめ、聞香を可能とすることとなる。底部９は熱伝達の役目を果たすので、薄板であることが望ましい。さらに、底部９は熱伝導特性に優れた材料を使用することが良く、一例として、雲母を使用することが望ましい。
【００３０】
本考案に係る香炉では、香剤載置部の底部と発熱体との距離を調整することができる。図１に示すように、香剤載置部２の取付け部４に設けたネジ山５と容器３の取付け部６に設けたネジ山７とが相対回転可能となっている。従って、例えば、香剤載置部２を容器３に対して回転させると香剤載置部２は、回転しながら、図１で見て、上方向に上昇することが可能である。その結果、ニクロム線２０と香剤載置部２の底部９との距離が調整することができる。ニクロム線（発熱体）２０と底部９との距離が調整できれば、香剤１１の加熱温度を調整することができる。
【００３１】
一般に、香剤は、香剤の種類、材料等により香気成分の蒸散開始温度が異なっているので、香剤の加熱温度を最適な温度に調整することができれば、香剤の特徴的香気成分を蒸散し、香りとして漂わせしめ、すがすがしい聞香が可能となる。蒸散開始温度が高い香剤の場合は、ニクロム線２０と底部９との距離を短くし、蒸散開始温度が低い香剤の場合には、ニクロム線２０と底部９との距離を遠ざけることで調整を行う。ネジ山５、７は螺旋状に形成されているので、微妙な距離の調整を行うことができる。
【００３２】
また、本考案により提供される聞香に適した香炉は、全体として１０センチメートル前後から、１５センチメートルの高さに纏めることができ、携帯型香炉として最適である。また、本考案により提供される携帯可能な香炉によれば、いかなるところへも持って行け、極めて簡単な操作をするだけで、聞香に適した香炉として機能するものであるから、ちょっと一服して、香りを愉しむことができるので、喧噪な現在生活の中に、潤いをもたらすことに役立ち、癒し効果を期待できる。
【００３３】
本考案に係る携帯型香炉によれば、１．５ボルトから１２ボルトの電圧を供給する電池でもって、香剤を加熱する携帯可能な香炉、取り分け聞香に適した携帯可能な香炉が提供される。更に、本考案に係る携帯型香炉によれば、簡単な操作でもって、香剤の特質に適した温度での焚き香が可能となる聞香に適した携帯可能な香炉が提供される。
【００３４】
更に、香剤載置部の内側が擂り鉢のような形状になっているために、香剤の載置を簡単に行うことができる。即ち、上部に投入された香剤は壁面を滑りながら底部に到達する。また、香剤が発熱体に直接接触することがなく、香剤に適した加熱温度での加熱が可能となり、その香剤を特徴づける香気成分を十分にして且つ余すところなく、蒸散させ、香りを愉しむことができる。
【００３５】
本考案に係る香炉において、上記実施形態では、１．５ボルトの電池を２本用いる例で説明したが、１．５ボルトの電池以外でもよく、また、使用する本数に限定されない。また、上記実施形態では、香剤載置部の取付け部と容器の取付け部とにネジ山を設けて、回転させて発熱体と香剤載置部との距離を調整する機構で説明したが、本考案にかかる香炉では、この機構に限定されない。距離調整機構の一例として、容器に対し香剤載置部を上下方向に直接に移動可能な機構を採用することも可能である。また、香剤載置部の形状としては、擂鉢（すりばち）形状以外に多角形状であってもよい。
【産業上の利用可能性】
【００３６】
本願考案が提供する香炉は取り分け聞香に適した香炉であって、電池を電源として、発熱体の発熱をうながし、これによって香剤の加熱を可能とするものであり、簡単な操作で香剤の特質に見合った温度での香剤の加熱を可能とするものであり、従って、香りを愉しみ、これによる癒しの道具として利用される。
【符号の説明】
【００３７】
１：香炉
２：香剤載置部
３：容器
４：取付け部（香剤側）
５：ネジ山（香剤側）
６：取付け部（容器側）
７：ネジ山（容器側）
８：上部
９：底部
１０：傾斜側面
１１：香剤
１２：電源部
１３：発熱部
１４：電池
１５：電池
１８：第１導電体
１９：第２導電体
２０：ニクロム線
２１：絶縁体
２２：第３導電体
２３：第４導電体
２４：絶縁体
２５：ネジ山
２６：ネジ山
２７：スイッチ
【図１】
0003174143.tif 000003
【図２】
0003174143.tif 000004
【図３】
0003174143.tif 000005
【図４】
0003174143.tif 000006